(57)【要約】【課題】点滴用チューブに強い力を加えることなく、引っ張られたことを正確に検出できるようにする。【解決手段】第一の筐体１および第二の筐体２を開閉可能とし、第一の筐体１にＶ字状の溝部７を設け、Ｖ字に挟まれる第三の凸部６を傾斜させて、第一の筺体１および第二の筐体２を閉状態とした場合に対向する面の一方に磁性体８を設け、他方に磁石を設ける。また、磁性体８近傍にリードスイッチ９Ａを取り付け、リードスイッチ９Ａから磁石１１が離れた場合に、検出部９が検出信号を出力するようにしている。これにより、引っ張られた点滴用チューブが真っ直ぐになろうとして第三の凸部６の傾斜に乗り上げ、第一の筐体１と第二の筐体２とが開状態となり、検出信号が出力される。このとき、点滴用チューブがＶ字に曲げられるだけであり、引っ張られた点滴用チューブは必ず第三の凸部６の傾斜に乗り上げる。【選択図】図１
2014042686.tif 000002
【特許請求の範囲】
【請求項１】
開閉可能に構成された第一の筐体および第二の筐体の一方は、点滴用チューブの太さよりも深く、Ｖ字で挟まれる部分に傾斜を有するＶ字状の溝部を備え、
前記第一の筐体および前記第二の筐体は、互いに対向する面の一方に磁石を、他方に磁性体を有し、
前記磁性体を有する筐体は、前記磁石が近づくことによりオンとなるリードスイッチを有し、前記磁石が離れた場合に検出信号を出力する検出部を備えたことを特徴とする点滴異常検出装置。
【請求項２】
開閉可能に構成された第一の筐体および第二の筐体の一方は、点滴用チューブの太さよりも深く、押下されることにより検出信号を出力する押しボタンスイッチをＶ字で挟まれる部分に有するＶ字状の溝部を備えたことを特徴とする点滴異常検出装置。
【発明の詳細な説明】
【技術分野】
【０００１】
本発明は、病院などの施設で患者に点滴を行う際に、患者が点滴用チューブを引っ張って点滴針が患者の身体から抜けたり、点滴用チューブが点滴針から外れたりしたことを、点滴に異常が発生したとして検出する点滴異常検出装置に関する。
【背景技術】
【０００２】
従来、病院などの施設で患者に点滴を行う場合には、輸液スタンド上部のアームに輸液バッグや輸液ボトルを吊り下げ、輸液バッグや輸液ボトルの底部にあるゴム栓にチャンバーを装着して、このチャンバーを中継した点滴用チューブの先端にある点滴針を患者の身体（例えば、腕など）に挿入することにより点滴が行われている。
【０００３】
このような点滴を受ける患者は、点滴中の身体移動を抑制する必要がある。しかしながら、患者によっては、点滴中に点滴用チューブを引っ張ることがあり、これにより点滴針が患者の身体から抜けたり、点滴用チューブが点滴針から外れたりしてしまうという問題があった。
【０００４】
このような問題を解決するために、以下のような技術が存在している。この技術では、点滴用チューブを上部アームの下面とホルダー本体の上面との間に挟持し、バネにより常時閉となる方向に力を加えて、ホルダーに点滴用チューブを固定している。そして、人体に装着されるベルトに上述したホルダーを磁着し、患者が点滴用チューブを引っ張って、この点適用チューブに固定されたホルダーがベルトから外れたときに、点滴用チューブが引っ張られたことを検出して、ナースコールシステムなどに信号を出力するようにしている（例えば、特許文献１など）。
【先行技術文献】
【特許文献】
【０００５】
【特許文献１】特開２０１１−１８３１４０号公報
【発明の概要】
【発明が解決しようとする課題】
【０００６】
しかしながら、上述した特許文献１に記載の技術では、上部アームとホルダー本体との間にバネにより常時閉となる方向に力が加わっているため、上部アームの下面とホルダー本体の上面との間に挟持されている点滴用チューブにも力が加わり、この力が強いと、点滴用チューブが変形し、輸液がスムーズに流れなくなってしまい、その力が弱いと、点滴用チューブが引っ張られたときに、ホルダーがベルトから外れる前に点滴用チューブが上部アームとホルダー本体との間から抜け落ちしてしまうという問題があった。
【０００７】
本発明は、このような問題を解決するために成されたものであり、点滴用チューブに強い力を加えることなく、点滴用チューブが引っ張られたことを正確に検出することができるようにすることを目的とする。
【課題を解決するための手段】
【０００８】
上述した課題を解決するために、本発明では、開閉可能な第一の筐体および第二の筐体の一方に点滴用チューブを通すためのＶ字状の溝部を設け、Ｖ字状の溝部に挟まれる部分を傾斜させる。また、第一の筐体および第二の筐体の互いに対向する面の一方に磁石を取り付け、他方に磁性体を取り付けて、磁性体を取り付けた筐体の磁性体の近傍にリードスイッチを取り付ける。そして、磁石が離れた場合にリードスイッチから検出信号を出力するようにしている。
【発明の効果】
【０００９】
上記のように構成した本発明によれば、Ｖ字状の溝部に点滴用チューブの点滴針に近い部分を通し、第一の筐体と第二の筐体とを閉状態としておくと、点滴用チューブが引っ張られた場合に、Ｖ字状の溝部に通されている点滴用チューブが真っ直ぐになろうとして傾斜部分に乗り上げ、その力によって第一の筐体と第二の筐体とが開状態となる。第一の筐体と第二の筐体とが開状態になると、リードスイッチから磁石が離れて検出信号が出力される。従って、点滴用チューブに強い力を加えることなく、点滴用チューブが引っ張られたことを正確に検出することができる。
【図面の簡単な説明】
【００１０】
【図１】本実施形態による点滴異常検出装置の外観例を示す図である。
【図２】本実施形態による点滴異常検出装置の使用例を示す図である。
【図３】本実施形態による点滴異常検出装置の変形例を示す図である。
【発明を実施するための形態】
【００１１】
以下、本発明の一実施形態を図面に基づいて説明する。図１は、本実施形態による点滴異常検出装置の外観例を示す図である。図１（ａ）は、本実施形態による点滴異常検出装置の上面図であり、図１（ｂ）は、本実施形態による点滴異常検出装置の側面図である。本実施形態による点滴異常検出装置は、第一の筐体１および第二の筐体２を備えている。
【００１２】
第一の筐体１および第二の筐体２は、回動軸３を中心に互いに回動可能であり、この回動により開閉可能となる。ここで、図１（ａ）および図１（ｂ）は、第一の筐体１および第二の筐体２が開状態の図であり、図１（ｃ）は、第一の筐体１および第二の筐体２が閉状態の図である。
【００１３】
また、第一の筐体１は、第一の筐体１および第二の筐体２を閉状態とした場合に対向する面に、上面図左下方に三角形状の第一の凸部４を有し、上面図右下方に三角形状の第二の凸部５を有する。また、第一の筐体１は、第一の筐体１および第二の筐体２を閉状態とした場合に対向する面の上面図中央上部に第三の凸部６を有する。
【００１４】
ここで、第一の凸部４、第二の凸部５、および、第三の凸部６によって溝部７が形成される。溝部７の深さは、図示しない点滴用チューブの太さよりも深い。また、図１（ａ）に示すように、溝部７はＶ字状の形状をなす。また、図１（ｂ）に示すように、第三の凸部６は、溝部７のＶ字によって挟まれる部分に傾斜を有する。
【００１５】
また、図１（ａ）に示すように、第三の凸部６の上面には磁性体８が取り付けられている。また、磁性体８の近傍には検出部９が形成されている。また、検出部９は、コード１０を介して図示しないナースコールシステムに接続されている。なお、コード１０の代わりに無線送信機を用いて検出部９をナースコールシステムに接続するようにしても良い。
【００１６】
また、第二の筐体２は、第一の筺体１および第二の筐体２を閉状態とした場合に磁性体８と対向する位置に磁石１１を取り付けている。また、上述した検出部９は、磁石１１が近づくことによりオンとなり、磁石１１が遠ざかることによりオフとなるリードスイッチ９Ａを備えている。また、検出部９は、リードスイッチ９Ａがオフとなった場合に検出信号を生成し、生成した検出信号をコード１０により外部に出力する。
【００１７】
このように構成された点滴異常検出装置を使用する場合、図２に示すように、使用者は第一の筺体１および第二の筐体２を開状態とし、Ｖ字状の溝部７に点滴用チューブの点滴針に近い部分を挿入して、第一の筐体１および第二の筐体２を閉状態としておく。
【００１８】
この状態では、第一の筐体１に設けた磁性体８と第二の筐体２に設けた磁石１１とが磁力により吸着するため、第一の筺体１および第二の筐体２は容易に開状態にはならない。また、点滴用チューブは溝部７に沿って曲げられるものの、点滴用チューブに直接的な力は加わらない。また、検出部９のリードスイッチ９Ａに磁石１１が近づいているため、検出部９は検出信号を外部に出力しない。
【００１９】
この状態で、患者が点滴用チューブを引っ張ると、溝部７に通されている点滴用チューブが真っ直ぐになろうとして第三の凸部６の傾斜に乗り上げる。そして、第三の凸部６の傾斜に乗り上げた点滴チューブによって第二の筐体２が開方向に押され、第一の筐体１と第二の筐体２とが開状態になる。ここで、第一の筐体１および第二の筐体２が開状態となっても、図２に示すまで第一の筺体１と第二の筐体２とは開かないが、第二の筐体２に設けた磁石１１は、検出部９のリードスイッチ９Ａから十分に離れる。
【００２０】
すると、リードスイッチがオフ状態となり、検出部９は検出信号を生成し、生成した検出信号をコード１０によってナースコールシステムに出力する。図示しないナースコールシステムでは、検出信号を入力し、点滴用チューブが引っ張られたことを報知する。
【００２１】
以上詳しく説明したように、本実施形態によれば、第一の筐体１および第二の筐体２を、回動軸３を中心に回動可能に連結し、第一の筐体１に点滴用チューブを通すためのＶ字状の溝部７を設け、Ｖ字状の溝部に挟まれる第三の凸部６を傾斜させている。また、第一の筺体１は、第一の筐体１および第二の筐体２を互いが対向するように閉状態とした場合に対向する面に磁性体８を取り付けている。また、第二の筐体２は、第一の筐体１および第二の筐体２を互いが対向するように閉状態とした場合に対向する面に磁石１１を取り付けている。また、第一の筐体１は、磁性体８の近傍にリードスイッチ９Ａを含む検出部９を取り付けている。そして、リードスイッチ９Ａから磁石１１が離れた場合に、検出部９は検出信号を出力するようにしている。
【００２２】
これにより、Ｖ字状の溝部７に点滴用チューブの点滴針に近い部分を通し、第一の筐体１と第二の筐体２とを閉状態としておくと、点滴用チューブが引っ張られた場合に、Ｖ字状の溝部７に通されている点滴用チューブが真っ直ぐになろうとして第三の凸部６の傾斜に乗り上げ、その力によって第一の筐体１と第二の筐体２とが開状態となる。第一の筐体と第二の筐体とが開状態になると、リードスイッチ９Ａから磁石１１が離れて検出部９から検出信号が出力される。これにより、点滴用チューブはＶ字状に曲げられるだけなので、強い力が加わることはなく、点滴用チューブが引っ張られてまっすぐになろうとすると、点滴用チューブが必ず第三の凸部６の傾斜に乗り上げるので、点滴用チューブが引っ張られたことを正確に検出することができる。
【００２３】
なお、前述した実施形態では、第一の凸部４、第二の凸部５、第三の凸部６、溝部７、磁性体８、検出部９、コード１０を第一の筐体１に設け、磁石１１を第二の筐体２に設けるようにしているが、これに限定されない。例えば、第一の凸部４、第二の凸部５、第三の凸部６、溝部７、磁性体８、検出部９、コード１０を第二の筐体２に設け、磁石１１を第一の筐体１に設けるようにしても良い。
【００２４】
また、前述した実施形態では、第三の凸部６に傾斜を形成し、検出部を設けているが、これに限定されない。例えば、図３に示すように、第三の凸部６′に押しボタンスイッチ１２を設けるようにしても良い。
【００２５】
このように構成した点滴異常検出装置によれば、点滴用チューブが引っ張られると、点滴用チューブがまっすぐになろうとし、その点適用チューブによって押しボタンスイッチ１２が押下される。押しボタンスイッチが押下されると、検出信号が外部へ出力される。
【００２６】
なお、この変形例では、点滴用チューブを出し入れする場合以外に、第一の筐体１と第二の筐体２とを開状態にする必要がないため、第一の筐体１と第二の筐体２とを閉状態とするために、磁石１１と磁性体８との組み合わせ以外にも、様々な方法を用いることが可能である。
【００２７】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２８】
１    第一の筐体
２    第二の筐体
３    回動軸
４    第一の凸部
５    第二の凸部
６    第三の凸部
７    溝部
８    磁性体
９    検出部
９Ａ    リードスイッチ
１０    コード
１１    磁石
【図１】
2014042686.tif 000003
【図２】
2014042686.tif 000004
【図３】
2014042686.tif 000005